(57)【要約】      （修正有）【課題】風通しがよく、植栽の根腐れを防止できるうえに花壇内の土砂が外部に流出するのも阻止することが可能であり、なおかつ現場で簡便に設置可能なフラワーサークルを提供する。【解決手段】複数の縦部材１−１，１−２と、縦部材を一定間隔に保持する複数段の横部材２とを有し、盛土した花壇の縁に設置するフラワーサークル１０であって、横部材のうち最下段のものは、鉛直に突き出た複数の脚部５を有し、脚部が地中に打ち込まれたとき地面に接して腰部３を形成することを特徴とし、腰部は、脚部を縁の外側に打ち込んだときには、上辺が少なくとも花壇の地面と同じ高さとなる。【選択図】図１
0003192001.tif 000002
【実用新案登録請求の範囲】
【請求項１】
複数の縦部材と、該縦部材を一定間隔に保持する複数段の横部材とを備え、盛土した花壇の縁に設置するフラワーサークルであって、
前記横部材のうち最下段のものは、鉛直に突き出た複数の脚部を有し、該脚部それぞれを地中に差し込んだとき、地面に接して腰部を形成することを特徴とするフラワーサークル。
【請求項２】
前記腰部は、前記脚部を前記縁の外側に差し込んだときには、上辺が少なくとも花壇の地面と同じ高さになることを特徴とする請求項１記載のフラワーサークル。
【請求項３】
前記脚部それぞれは、先端にテーパを付けたものであって、該脚部それぞれを前記縁の内側に差し込んだとき、前記縦部材が直立できる寸法を有することを特徴とする請求項１記載のフラワーサークル。
【考案の詳細な説明】
【技術分野】
【０００１】
本考案は、花壇の縁に設置するフェンスに関するものである。
【背景技術】
【０００２】
従来から、人やペットが花壇内に立ち入るのを阻止するため、木材、煉瓦、ブロック、石などを花壇の縁に設置するのが一般的である。
例えば、円形や楕円形、矩形などに象られた花壇の縁に、所定の長さの木杭を一本一本打ち込んで囲う方法や、複数の板状部材を平面状に連結したもので花壇の周囲を囲う方法、あるいは煉瓦やブロックを縁に積み上げ、その内側に盛土することにより花壇とする方法などが挙げられる。
しかしながら、木杭を一本一本打ち込む方法は手間暇がかかり、連結した板状部材で囲う方法は、適用可能な花壇に制約があり、煉瓦やブロックなどを積み上げる方法は、形や外観が画一化され、興趣が薄れとといった課題がある。
そこで、フェンスの高さを規定する一般部とそれらの連結部とを一体形成し、連結部が易曲性を確保することにより円形花壇にも適用できるようにしたガーデンフェンスが提案されている（特許文献１参照）。
しかし、フェンスの高さが高いと風通しが悪くなり、植栽が根腐れを起こす恐れがある。そこで、細径部材を用いて風通しのよい形状のフェンス本体と脚部とを形成し、それを横方向に連接して蝶々や花柄の連結部材で係合離脱自在に係止することにより、現場で設置可能にした園芸用フェンス（特許文献２参照）や、棒鋼を折り曲げて本体と脚部とを形成したフェンス体を一列に並べて地面に挿入し、直交型グリップでそれらを連結することにより、現場で簡単に設置できる軽量なガーデンフェンス（特許文献３参照）が提案されている。
また、枠状のフェンス部と地中に挿入する脚部とからなり、フェンス部に風通しのよい形状をした飾り部材を着脱自在に設置可能にして、コストを抑制しつつデザインの多様性を追求したガーデンフェンス（特許文献４参照）や、床面から立ち上がる一対の支柱の間に、一筆書状に連結され細径部材を配設し、清掃が容易で、布団を干しても粉じんや花粉などが移らないように構成したフェンス（特許文献５参照）も提案されている。
【先行技術文献】
【特許文献】
【０００３】
【特許文献１】実登３０１６４４７号公報
【特許文献２】実登３０４６０９３号公報
【特許文献３】実登３０７７５５０号公報
【特許文献４】特開平０９−７４９０３号公報
【特許文献４】特開２００９−１８５４６０号公報
【考案の概要】
【考案が解決しようとする課題】
【０００４】
しかしながら、細径部材を折り曲げて形成したフェンスは、風通しがよく、植栽の根腐れを防ぐことや草花を観賞するには好適であるが、腰部がないため、花壇内の土砂が外部に流出しやすいという課題がある。また、地面から一定の高さを有する目隠し兼用のフェンスは、土砂の流出は防げるものの、人やペットの立ち入りを防ぐにはある程度の高さが必要なことから、風通しが悪く、植栽の根腐れ防止が困難である。
本考案はかかる事情に鑑み、風通しがよく、植栽の根腐れ防止に好適であるうえ、花壇内の土砂の外部への流出をも阻止することができ、花壇の周りに簡単に設置することが可能なフラワーサークルを提供することを目的とする。
【課題を解決するための手段】
【０００５】
本考案のフラワーサークルは、複数の縦部材と、その縦部材を一定間隔に保持する複数段の横部材とを備え、盛土した花壇の縁に設置するフラワーサークルであって、
上記横部材のうち最下段のものは、鉛直に突き出た複数の脚部を有し、該脚部それぞれを地中に差し込んだとき、地面に接して腰部を形成することを特徴とする。
このように、縦部材と横部材とにより形成されるので堅牢であり、腰部があるので花壇内の土砂の流出を阻止することができる上、複数の脚部を地中に差し込むだけでよいので現場で簡単に設置できる。
その場合、上記腰部は、上記脚部を上記縁の外側に差し込んだときには、上辺が少なくとも花壇の地面と同じか、あるいは高くなるので、花壇内の土砂が外部に流出するのを十分に阻止できる。
また、上記脚部それぞれは、先端にテーパを付けたものであって、該脚部それぞれを上記縁の内側に差し込んだとき、上記縦部材が直立できる寸法を有していれば、実際に上記脚部を地盤の硬い花壇の縁に打ち込んだときは、脚部が地中にしっかりと固定されるので、台風等の際にもフラワーサークルが倒れにくい。
【考案の効果】
【０００６】
本考案のフラワーサークルによれば、現場で簡単に設置して花壇内に人やペットが立ち入るのを阻止したり、花壇内の土砂の流出を阻止することができるうえ、花壇内の風通しもよいので、植栽の根腐れを防止できる。
【図面の簡単な説明】
【０００７】
【図１】図１は、７つの縦部材と、３段の横部材とを有するフラワーサークルの第１例を示す図である。
【図２（ａ）】図２（ａ）は、フラワーサークルの腰部と脚部の寸法を設定する方法を示す図である。
【図２（ｂ）】図２（ｂ）は、実際にフラワーサークルを花壇に設置する一例の断面を示す図である。
【図３】図３は、７つの縦部材と、２段の横部材とを有するフラワーサークルの第２例を示す図である。
【図４】図４は、４つの縦部材と、２段の横部材とを有するフラワーサークルの第３例を示す図である。
【考案を実施するための形態】
【０００８】
図１は、７つの縦部材と、３段の横部材とを有するフラワーサークルの第１例を示す図である。
図１に示すように、第１例の縦部材１は、４つの長尺縦部材１−１と３つの短尺縦部材１−２とからなり、３つの短尺縦部材１−２と４つの長尺縦部材１−１のうちの中央の２つは、頂部に星型のフェンス飾り７が設けてある。３段の横部材２のうち最下段のものは、花壇の土砂が風雨により外部に流出するのを阻止する腰部３を形成するものであり、他の横部材２よりも幅広になっている。
また、３段の横部材２相互間には十分なスペースＳがあるので、花壇内の風通しも十分確保できる。
そして、３つの短尺縦部材１−２のうちの両端のものそれぞれと中央の２つの長尺縦部材１−１それぞれとの間における腰部底面４それぞれには、鉛直に突き出た脚部５が設けてある。また、２つの脚部５の先端５ａにはテーパが付いているので、脚部５を地中に差し込むことが容易である。
【０００９】
図２（ａ）は、フラワーサークルの腰部と脚部の寸法を設定する方法を示す図である。
図２（ａ）に示すように、花壇の地面Ａは、人が歩く地面Ｂよりも少し高く（例えば、数センチメートル高く）なっている。そして、植栽を行うために花壇の地面Ａは耕されるので、表面から１０センチメートル程度（図の斜線部分）の深さの地層は地盤が軟弱である。
他方、人が歩く地面Ｂや花壇の縁Ｃは、突き固められることにより、花壇の地面Ａよりも地盤が硬くなっている。
図２（ａ）において、右側のフラワーサークル１０は、脚部５の寸法（長さ及び太さ）Ｈを設定する方法を示し、左側のフラワーサークル１０は、腰部３の高さ（あるいは幅）Ｗを設定する方法を例示している。
すなわち、脚部５の寸法（長さ及び太さ）Ｈは、右側のフラワーサークル１０のように花壇の地面Ａに腰部３が接するまで脚部５を差し込んだ場合に、脚部５が花壇の地面Ａの軟弱地盤を貫通して、その下層にある硬い地盤に達し、縦部材１が直立できるように設定される。
また、腰部３の高さ（あるいは幅）Ｗは、左側のフラワーサークル１０のように人が歩く地面Ｂに腰部３が接するまで脚部５を差し込んだ場合に、上辺３ａが花壇の地面Ａと同じ高さになるか、あるいはそれよりも若干高くなるように設定される。
【００１０】
図２（ｂ）は、実際にフラワーサークルを花壇に設置する一例の断面を示す図である。
図２（ｂ）に示すように、フラワーサークル１０が花壇に設置される場合には、脚部５は花壇の縁Ｃの硬い地盤に差し込まれる。従って、硬い地盤にしっかりと固定されるので、台風等の際にもフラワーサークル１０は倒れにくい。
その場合、腰部３の上辺３ａは、花壇の地面Ａよりも若干高くなるので、花壇内の土砂が風雨によって外部に流出するのを阻止することができる。また、腰部３と他の横部材２との間、及び横部材２相互の間には、十分なスペースＳがあるので、花壇内の風通しも十分確保できる。
【００１１】
ここで、フラワーサークル１０は花壇の縁Ｃに複数設置する必要があるので、相互の連携が必要になる。本実施形態のフラワーサークル１０は、両端に配置される縦部材１相互が重なるように花壇に設置して土砂の流出を防止している。ただし、相互の連携は、必ずしもこの構成に限定する必要はなくフラワーサークル１０の一端の縦部材１にフックなどの掛止部材を設け、そのフックなどに係合する被掛止部材を他端の縦部材１に設け、隣接するフラワーサークル１０の一方の掛止部材を他方のフラワーサークル１０の被掛止部材に掛止することにより縦部材１相互が密着するように設置してもよい。
また、本実施例のフラワーサークル１０は、木粉とプラスチック材などを混錬した合成木材を用いて、縦部材１、脚部５、及び横部材２を一体成型しているが、必ずしもこれに限定されず、プラスチックや金属などで一体成型してもよい。また、縦部材１の数や横部材２の段数も必ずしもここで示した例に限定されない。
【００１２】
図３は、７つの縦部材と、２段の横部材とを有するフラワーサークルの第２例を示す図である。
図３に示すように第２例の縦部材１は、４つの短尺縦部材１−２と３つの長尺縦部材１−１とからなり、長尺縦部材１−１の上部側は竹を模した形状になっている。そして、４つの短尺縦部材１−２の全体と３つの長尺縦部材１−１の下部側には、縄模様の帯８がそれぞれ２本ずつ付されている。長尺縦部材１−１の２本の帯８それぞれは、隣接する短尺縦部材１−２の頂部１−２ａで結ばれ、短尺縦部材１−２の２本の帯８それぞれは、隣接する長尺縦部材１−２の頂部１−２ａで結ばれ、フェンス飾り８を構成している。また、２つの横部材２のうち上段のものには、縄模様の１本の帯８が横方向に付されている。
２つの横部材２のうち最下段のものは上段のものよりも幅広になっている。そして、脚部５が地中に打ち込まれたとき地面に接して腰部３が形成され、花壇内の土砂の流出を阻止することができる。
さらに、３つの長尺縦部材１−１のうちの両端の長尺縦部材１−１それぞれと隣接する短尺縦部材１−２との間の腰部底面４それぞれには、地中に打ち込む脚部５が垂直に突き出している。また、２本の脚部５の先端５ａそれぞれにはテーパが付いている。
本実施例の脚部５の長さや太さは、第１例のものと同様であり、最下段の横部材２（腰部３）の幅も、第１例のものと同様であり、重複する説明を省略する。
ここで、本実施例のフラワーサークル１０は、縦部材１、脚部５、及び横部材２をプラスチックで一体成型しているが、必ずしもプラスチック成型品に限定する必要はない。また、縦部材１の数や横部材２の段数も必ずしもここで示した例に限定されない。
【００１３】
図４は、４つの縦部材と、２段の横部材とを有するフラワーサークルの第３例を示す図である。
図４に示すように第３例のフラワーサークル１０は、４つの縦部材１と２段の横部材２とを有し、４つの縦部材１の頂部１ａから上段の横部材２にかけて斜めの補助部材が設けられ、フェンス飾り９を構成している。そして、２つの横部材２のうち最下段のものは、花壇の土砂が風雨により外部に流出するのを阻止する腰部３を形成し、上段の横部材２よりも幅広になっている。なお、腰部３の上辺３ａは斜めにカットされ、補助部材同様、フェンス飾り９を構成している。また、４つの縦部材１の直下における腰部底面４には、垂直に突き出した脚部５が設けられ、２本の脚部５の先端５ａそれぞれにはテーパが付いている。
ここで、本実施例の脚部５の長さや太さは、第１例のものと同様であるが、腰部３は、脚部５を人が歩く地面Ｂに差し込んだとき、斜めにカットされた腰部上辺３ａの低い部分が花壇の地面Ａと同じ高さになるか、あるいはそれよりも若干高くなるように構成されている。従って、フラワーサークル１０を花壇の縁の斜面Ｃに差し込んだときに腰部上辺３ａの低い部分が花壇の地面Ａより少し高くなり、花壇内の土砂が風雨によって外部に流出するのを阻止することができる。
【産業上の利用可能性】
【００１４】
プラススチック、金属、合成木材により一体成型することにより、花壇や畑のフェンスとして適用できる。
【符号の説明】
【００１５】
１      縦部材
１a     縦部材頂部
１−１  長尺縦部材
１−１a 長尺縦部材頂部
１−２  短尺縦部材
１−２a短尺縦部材頂部
２      横部材
３      腰部
３ａ    上辺
４      腰部底面
５      脚部
５ａ    先端
７、８、９  フェンス飾り
１０    フラワーサークル
Ａ      花壇の地面
Ｂ      人が歩く地面
Ｃ      斜面
Ｓ      スペース
【図１】
0003192001.tif 000003
【図２（ａ）】
0003192001.tif 000004
【図２（ｂ）】
0003192001.tif 000005
【図３】
0003192001.tif 000006
【図４】
0003192001.tif 000007